(57)【特許請求の範囲】
【請求項１】
内部に貯蔵室を形成し、断熱材にて形成された断熱箱体と、該断熱箱体の側部に設けられ、内部に凝縮器及び圧縮機を有する機械室とを備える冷却貯蔵庫において、
機械室側面の前側に設けられた側面パネルと、該側面パネルの端部が近接若しくは接触して設けられ、側面パネルと共に機械室側面を形成するワイヤー型凝縮器とを備え、該ワイヤー型凝縮器側の側面パネルの端部に機械室を補強する補強部材を設けたことを特徴とする冷却貯蔵庫。
【発明の詳細な説明】
【０００１】
【発明の属する技術分野】
本発明は、ワイヤー型凝縮器を備える冷却貯蔵庫に関する。
【０００２】
【従来の技術】
本発明に先行する従来技術として、実開昭５６−３４２７９号公報（Ｆ２５Ｄ１９／００）には、庫体の外側面に、チャンネル形に屈曲されてチャンネル室を形成するワイヤーコンデンサが取付けられ、そのチャンネル室は、その室と庫体側に設けられた凹部とにかけてコンプレッサを配置するのに必要最小限の幅に形成されている冷凍サイクル装置が開示されている。
【０００３】
【発明が解決しようとする課題】
上述した従来技術では、略コの字形のワイヤーコンデンサの開口側を庫内側壁側とし、コの字の両端部の内側に抑え金具及びネジを用いて螺着固定するものであるため、冷蔵庫を運ぶ時など、ワイヤーコンデンサと庫体との間に指を挟まれ怪我をする問題があった。
【０００４】
【課題を解決するための手段】
上述した目的を達成するための手段として、請求項１の発明では、内部に貯蔵室を形成し、断熱材にて形成された断熱箱体と、該断熱箱体の側部に設けられ、内部に凝縮器及び圧縮機を有する機械室とを備える冷却貯蔵庫において、機械室側面に設けられた側面パネルと、該側面パネルの端部が近接若しくは接触して設けられ、側面パネルと共に機械室側面を形成するワイヤー型凝縮器とを備え、該ワイヤー型凝縮器側の端部に機械室を補強する補強部材を設けた冷却貯蔵庫を提供する。
【０００５】
【課題を解決するための手段】
上述した目的を達成するための手段として、請求項１の発明では、内部に貯蔵室を形成し、断熱材にて形成された断熱箱体と、該断熱箱体の側部に設けられ、内部に凝縮器及び圧縮機を有する機械室とを備える冷却貯蔵庫において、
機械室側面に設けられた側面パネルと、該側面パネルの端部が近接若しくは接触して設けられ、側面パネルと共に機械室側面を形成するワイヤー型凝縮器とを備える冷却貯蔵庫を提供する。
【０００６】
このため、ワイヤー型凝縮器と側面パネルの間から手などが入らないため、挟んで怪我することを防止できる。また、ワイヤー型凝縮器の変形を極力防止することができる。
【０００８】
【発明の実施の形態】
以下に本発明の一実施の形態を図面を参照して説明する。図１は本発明を具備する冷却貯蔵庫の斜視図、図２は機械室前部の組立斜視図、図３は冷却貯蔵庫組立状態を示す機械室後側方からの斜視図、図４は機械室の平面図、図５は機械室の平断面図である。
【０００９】
１は１室の貯蔵室を備える冷蔵庫若しくは冷凍庫等の冷却貯蔵庫本体で、前面開口した断熱箱体２の内部に前記貯蔵室を画成するものである。そして、断熱箱体２の前面開口には開閉自在な断熱扉３が設けられており、この断熱扉３の上部には把手４が設けられている。更に、断熱箱体２の側部には、前記貯蔵室を冷却する図示しない冷却器と共に冷凍サイクルを構成する圧縮機５、ワイヤー型凝縮器６、冷却用送風機７を備える機械室８が設けられている。尚、９はその上面を作業台として使用するためのトップテーブルで、１０は冷却貯蔵庫本体１を支持する台脚である。
【００１０】
また、機械室８の前面には吸込口１１及び制御部１２を有する前面パネル１３が設けられており、機械室８の側面には側面パネル１４が設けられている。この側面パネル１４は、前記前面パネル１３の裏面側の外側に上下方向に延在する保持部材１５に螺子１６にて固定されており、保持部材１５は前記トップテーブル９を取り付けるテーブル補強板１７に螺子１８にて螺着されている。
【００１１】
そして、側面パネル１４と保持部材１５との接続部の反対側には、鋭角に折曲された折曲部１９が形成されている。この折曲部１９は、前記機械室８の底面を構成する底板２０及び機械室８の上面を形成する上面板２１に螺子２２にて接続された補強部材２３と重なり合う構造となっており、この補強部材２３は機械室８の補強を行うものである。
【００１２】
底板２０及び上面板２１の補強部材２３が取り付けられる位置には四角状の切欠２４が夫々形成されており、底板２０側には、補強部材２３を螺着するための取付フランジ２５が設けられている。また、上面板２１は螺子にて前記断熱箱体２の側面に螺着する構造となっており、底板２０は断熱箱体２の側面及び前記台脚１０に接続されている。
【００１３】
また、前記ワイヤー型凝縮器６は略コ字状に形成されており、コの字の開口側が断熱箱体２の側面方向を向くように取り付けられる。そして、底板２０の側面に立設した側面フランジ２６に形成された螺子穴にワイヤー型凝縮器６の外側面方向から取付ボルト２７を螺着する。これにより、作業性を向上させることができる。
【００１４】
更に、側面パネル１４の折曲部１９は、前記ワイヤー型凝縮器６の曲面部分と接触して設けられ、前記取付ボルト２７と折曲部１９とによりワイヤー型凝縮器６を保持する構造となっている。また、ワイヤー型凝縮器６の上下は、上面板２１のフランジ２８及び底板２０のフランジ２６により係止されている。
尚、ワイヤー型凝縮器６の曲面部分と折曲部１９とは近接していても良く、近接させる構造では人の手が入らないだけの隙間を有する構造とする。これにより、冷却貯蔵庫１を設置する際、作業者の手などの怪我の発生を防止できる。
【００１５】
即ち、請求項１の発明では、内部に貯蔵室を形成し、断熱材にて形成された断熱箱体２と、該断熱箱体２の側部に設けられ、内部に凝縮器及び圧縮機５を有する機械室８とを備える冷却貯蔵庫１において、機械室８側面に設けられた側面パネル１４と、該側面パネル１４の端部が近接若しくは接触して設けられ、側面パネル１４と共に機械室８側面を形成するワイヤー型凝縮器６とを備え、該ワイヤー型凝縮器側の端部に機械室を補強する補強部材を設けた冷却貯蔵庫１を提供する。
【００１６】
このため、ワイヤー型凝縮器６と側面パネル１４の間から手などが入らないため、挟んで怪我することを防止でき、冷却貯蔵庫１設置時の安全性を向上させることができる。また、ワイヤー型凝縮器６の変形を極力防止することができる。
【００１８】
【発明の効果】
以上の如く、請求項１の発明によると、内部に貯蔵室を形成し、断熱材にて形成された断熱箱体と、該断熱箱体の側部に設けられ、内部に凝縮器及び圧縮機を有する機械室とを備える冷却貯蔵庫において、機械室側面に設けられた側面パネルと、該側面パネルの端部が近接若しくは接触して設けられ、側面パネルと共に機械室側面を形成するワイヤー型凝縮器とを備え、該ワイヤー型凝縮器側の端部に機械室を補強する補強部材を設けた冷却貯蔵庫を提供する。
【００１９】
このため、ワイヤー型凝縮器と側面パネルの間から手などが入らないため、挟んで怪我することを防止でき、冷却貯蔵庫１設置時の安全性を向上させることができる。また、ワイヤー型凝縮器の変形を極力防止することができる。
【図面の簡単な説明】
【図１】本発明を具備する冷却貯蔵庫の斜視図である。
【図２】機械室前部の組立斜視図である。
【図３】冷却貯蔵庫組立状態を示す機械室後側方からの斜視図である。
【図４】機械室の平面図である。
【図５】機械室の平断面図である。
【符号の説明】
１  冷却貯蔵庫
２  断熱箱体
５  圧縮機
６  ワイヤー型凝縮器
８  機械室
１４  側面パネル
２３  補強部材
【図１】
0003670772.tif 000002
【図２】
0003670772.tif 000003
【図３】
0003670772.tif 000004
【図４】
0003670772.tif 000005
【図５】
0003670772.tif 000006